(57)【要約】【課題】  インターネット販売の仕組みを活かし、オリジナル画像を用いて編集した編集画像を物品に出力することができる編集画像出力システムを提供する。【解決手段】  画像管理装置は、オリジナル画像を利用した編集された編集画像に対してＩＤを付与して記憶しておき、要求に応じて、当該要求された編集画像に対応するＩＤを送信し、画像出力装置は、画像管理装置から送信されるＩＤを受信し、受信したＩＤに基づいて、画像管理装置から編集画像を取得して、出力対象となる物品情報に基づいて出力対象を特定し、取得した編集画像を出力する。【選択図】    図１
2006285324.tif 000002
【特許請求の範囲】
【請求項１】
画像管理装置と画像出力装置とを有する編集画像出力システムであって、
前記画像管理装置は、
編集対象となるオリジナル画像を記憶するオリジナル画像記憶部と、
前記オリジナル画像記憶部を参照して生成された編集画像を受信する編集画像受信部と、
前記編集画像受信部が受信した編集画像に対してＩＤを付与するＩＤ付与部と、
前記編集画像受信部が受信した編集画像と前記ＩＤ付与部によって付与されるＩＤとを対応付けて記憶する編集画像記憶部と、
前記編集画像記憶部に記憶された編集画像の読み出し要求に応じて、当該要求された編集画像に対応するＩＤを送信する送信部とを有し、
前記画像出力装置は、
前記画像管理装置から送信される編集画像を特定するためのＩＤを受信する受信部と、
前記受信部が受信したＩＤに基づいて、前記画像管理装置から編集画像を取得する画像取得部と、
出力対象となる物品情報を記憶する物品情報記憶部と、
前記物品情報記憶部に記憶された物品情報に基づいて出力対象を特定し、前記画像取得部が取得した編集画像を出力する出力部とを有する
ことを特徴とする編集画像出力システム。
【請求項２】
編集対象となるオリジナル画像を記憶するオリジナル画像記憶部と、
前記オリジナル画像記憶部を参照して生成された編集画像を受信する編集画像受信部と、
前記編集画像受信部が受信した編集画像に対してＩＤを付与するＩＤ付与部と、
前記編集画像受信部が受信した編集画像と前記ＩＤ付与部によって付与されるＩＤとを対応付けて記憶する編集画像記憶部と、
前記編集画像記憶部に記憶された編集画像の読み出し要求に応じて、当該要求された編集画像に対応するＩＤを送信する送信部と、
を有することを特徴とする画像管理装置。
【請求項３】
編集画像を記憶する画像管理装置に接続される画像出力装置であって、
前記画像管理装置から送信される編集画像を特定するためのＩＤを受信する受信部と、
前記受信部が受信したＩＤに基づいて、前記画像管理装置から編集画像を取得する画像取得部と、
出力対象となる物品情報を記憶する物品情報記憶部と、
前記物品情報記憶部に記憶された物品情報に基づいて出力対象を特定し、前記画像取得部が取得した編集画像を出力する出力部と
を有することを特徴とする画像出力装置。
【請求項４】
前記画像取得部が取得した編集画像を前記ＩＤに対応付けて記憶する編集画像記憶部
を有することを特徴とする請求項３記載の画像出力装置。
【請求項５】
前記編集画像には、電子透かし情報が含まれていることを特徴とする請求項３または４記載の画像出力装置。
【請求項６】
編集対象となるオリジナル画像を記憶するオリジナル画像記憶部を参照して生成された編集画像を受信し、
前記受信した編集画像に対してＩＤを付与し、
前記受信した編集画像と前記付与されるＩＤとを対応付けて編集画像記憶部に書き込み、
前記編集画像記憶部に記憶された編集画像の読み出し要求に応じて、当該要求された編集画像に対応するＩＤを送信する
を有することを特徴とする画像管理方法。
【請求項７】
編集画像を記憶する画像管理装置に接続される画像出力装置における画像出力方法であって、
前記画像管理装置から送信される編集画像を特定するためのＩＤを受信し、
前記受信したＩＤに基づいて、前記画像管理装置から編集画像を取得し、
出力対象となる物品情報を記憶する物品情報記憶部に記憶された物品情報に基づいて出力対象を特定し、前記取得した編集画像を出力する
ことを特徴とする画像出力方法。
【請求項８】
編集対象となるオリジナル画像を記憶するオリジナル画像記憶部を参照して生成された編集画像を受信するステップと、
前記受信した編集画像に対してＩＤを付与するステップと、
前記受信した編集画像と前記付与されるＩＤとを対応付けて編集画像記憶部に書き込むステップと、
前記編集画像記憶部に記憶された編集画像の読み出し要求に応じて、当該要求された編集画像に対応するＩＤを送信するステップと、
をコンピュータに実行させるための画像管理プログラム。
【請求項９】
編集画像を記憶する画像管理装置に接続される画像出力装置に用いられる画像出力プログラムであって、
前記画像管理装置から送信される編集画像を特定するためのＩＤを受信するステップと、
前記受信したＩＤに基づいて、前記画像管理装置から編集画像を取得するステップと、
出力対象となる物品情報を記憶する物品情報記憶部に記憶された物品情報に基づいて出力対象を特定し、前記取得した編集画像を出力するステップと、
をコンピュータに実行させるための画像出力プログラム。
【請求項１０】
編集対象となるオリジナル画像を記憶するオリジナル画像記憶部を参照して生成された編集画像を受信するステップと、
前記受信した編集画像に対してＩＤを付与するステップと、
前記受信した編集画像と前記付与されるＩＤとを対応付けて編集画像記憶部に書き込むステップと、
前記編集画像記憶部に記憶された編集画像の読み出し要求に応じて、当該要求された編集画像に対応するＩＤを送信するステップと、
をコンピュータに実行させるための画像管理プログラムを記録したコンピュータ読み取り可能な記録媒体。
【請求項１１】
編集画像を記憶する画像管理装置に接続される画像出力装置に用いられる画像出力プログラムを記録したコンピュータ読み取り可能な記録媒体であって、
前記画像管理装置から送信される編集画像を特定するためのＩＤを受信するステップと、
前記受信したＩＤに基づいて、前記画像管理装置から編集画像を取得するステップと、
出力対象となる物品情報を記憶する物品情報記憶部に記憶された物品情報に基づいて出力対象を特定し、前記取得した編集画像を出力するステップと、
をコンピュータに実行させるための画像出力プログラムを記録した記録媒体。
【発明の詳細な説明】
【技術分野】
【０００１】
本発明は、オリジナル画像を用いて編集した編集画像を物品に出力する編集画像出力システムに関する。
【背景技術】
【０００２】
従来から、オリジナル画像を各種端末に送信するシステムが提供されており、これらを利用することによって、オリジナル画像を取得することができる。従来においては、このようなシステムを利用して、送信対象として各種画像を携帯電話などに送信するシステムがあった（例えば、特許文献１参照）。ここでは、携帯電話については、表示可能なファイル形式等が限定されてしまうため、このシステムを利用することによって、受信する対象となる携帯電話が処理可能なファイル形式に変換して送信していた。これにより、受信する対象の携帯電話が処理可能な画像として取り込むことができ、携帯電話にてオリジナル画像を利用することができた。
【０００３】
ところで、近年、インターネットなどによって、注文を受け付けて販売するインターネット販売が普及しつつあり、商品として、例えば、コンテンツや物品など様々な商品が取り扱われている。
【特許文献１】特開２００２−１４９５５４号公報
【発明の開示】
【発明が解決しようとする課題】
【０００４】
しかしながら、上述した従来技術においては、ファイル形式を受信する対象の携帯電話向けに変換するものであるので、単に受信側の端末にて処理が可能な画像として送信することしか行われていなかった。また、この従来技術におけるシステムをインターネット販売に用いた場合には、単にファイル形式を受信端末が処理可能なファイル形式にして販売するものに留まるものであり、インターネット販売の仕組みを十分に活かしているとは限らない。
【０００５】
本発明は、このような事情に鑑みてなされたもので、その目的は、インターネット販売の仕組みを活かし、オリジナル画像を用いて編集した編集画像を物品に出力することができる編集画像出力システムを提供することにある。
【課題を解決するための手段】
【０００６】
上述した課題を解決するために、本発明は、画像管理装置と画像出力装置とを有する編集画像出力システムであって、前記画像管理装置は、編集対象となるオリジナル画像を記憶するオリジナル画像記憶部と、前記オリジナル画像記憶部を参照して生成された編集画像を受信する編集画像受信部と、前記編集画像受信部が受信した編集画像に対してＩＤを付与するＩＤ付与部と、前記編集画像受信部が受信した編集画像と前記ＩＤ付与部によって付与されるＩＤとを対応付けて記憶する編集画像記憶部と、前記編集画像記憶部に記憶された編集画像の読み出し要求に応じて、当該要求された編集画像に対応するＩＤを送信する送信部とを有し、前記画像出力装置は、前記画像管理装置から送信される編集画像を特定するためのＩＤを受信する受信部と、前記受信部が受信したＩＤに基づいて、前記画像管理装置から編集画像を取得する画像取得部と、出力対象となる物品情報を記憶する物品情報記憶部と、前記物品情報記憶部に記憶された物品情報に基づいて出力対象を特定し、前記画像取得部が取得した編集画像を出力する出力部とを有することを特徴とする。
【０００７】
また、本発明は、編集対象となるオリジナル画像を記憶するオリジナル画像記憶部と、前記オリジナル画像記憶部を参照して生成された編集画像を受信する編集画像受信部と、前記編集画像受信部が受信した編集画像に対してＩＤを付与するＩＤ付与部と、前記編集画像受信部が受信した編集画像と前記ＩＤ付与部によって付与されるＩＤとを対応付けて記憶する編集画像記憶部と、前記編集画像記憶部に記憶された編集画像の読み出し要求に応じて、当該要求された編集画像に対応するＩＤを送信する送信部と、を有することを特徴とする。
【０００８】
また、本発明は、編集画像を記憶する画像管理装置に接続される画像出力装置であって、前記画像管理装置から送信される編集画像を特定するためのＩＤを受信する受信部と、前記受信部が受信したＩＤに基づいて、前記画像管理装置から編集画像を取得する画像取得部と、出力対象となる物品情報を記憶する物品情報記憶部と、前記物品情報記憶部に記憶された物品情報に基づいて出力対象を特定し、前記画像取得部が取得した編集画像を出力する出力部とを有することを特徴とする。
【０００９】
また、本発明は、上述の画像出力装置において、前記画像取得部が取得した編集画像を前記ＩＤに対応付けて記憶する編集画像記憶部を有することを特徴とする。
また、本発明は、上述の画像出力装置において、前記編集画像には、電子透かし情報が含まれていることを特徴とする。
【００１０】
また、本発明は、編集対象となるオリジナル画像を記憶するオリジナル画像記憶部を参照して生成された編集画像を受信し、前記受信した編集画像に対してＩＤを付与し、前記受信した編集画像と前記付与されるＩＤとを対応付けて編集画像記憶部に書き込み、前記編集画像記憶部に記憶された編集画像の読み出し要求に応じて、当該要求された編集画像に対応するＩＤを送信するを有することを特徴とする。
【００１１】
また、本発明は、編集画像を記憶する画像管理装置に接続される画像出力装置における画像出力方法であって、前記画像管理装置から送信される編集画像を特定するためのＩＤを受信し、前記受信したＩＤに基づいて、前記画像管理装置から編集画像を取得し、出力対象となる物品情報を記憶する物品情報記憶部に記憶された物品情報に基づいて出力対象を特定し、前記取得した編集画像を出力することを特徴とする。
【００１２】
また、本発明は、編集対象となるオリジナル画像を記憶するオリジナル画像記憶部を参照して生成された編集画像を受信するステップと、前記受信した編集画像に対してＩＤを付与するステップと、前記受信した編集画像と前記付与されるＩＤとを対応付けて編集画像記憶部に書き込むステップと、前記編集画像記憶部に記憶された編集画像の読み出し要求に応じて、当該要求された編集画像に対応するＩＤを送信するステップと、をコンピュータに実行させることを特徴とする。
【００１３】
また、本発明は、編集画像を記憶する画像管理装置に接続される画像出力装置に用いられる画像出力プログラムであって、前記画像管理装置から送信される編集画像を特定するためのＩＤを受信するステップと、前記受信したＩＤに基づいて、前記画像管理装置から編集画像を取得するステップと、出力対象となる物品情報を記憶する物品情報記憶部に記憶された物品情報に基づいて出力対象を特定し、前記取得した編集画像を出力するステップと、をコンピュータに実行させることを特徴とする。
【００１４】
また、本発明は、編集対象となるオリジナル画像を記憶するオリジナル画像記憶部を参照して生成された編集画像を受信するステップと、前記受信した編集画像に対してＩＤを付与するステップと、前記受信した編集画像と前記付与されるＩＤとを対応付けて編集画像記憶部に書き込むステップと、前記編集画像記憶部に記憶された編集画像の読み出し要求に応じて、当該要求された編集画像に対応するＩＤを送信するステップと、をコンピュータに実行させるための画像管理プログラムを記録したコンピュータ読み取り可能な記録媒体である。
【００１５】
また、本発明は、編集画像を記憶する画像管理装置に接続される画像出力装置に用いられる画像出力プログラムを記録したコンピュータ読み取り可能な記録媒体であって、前記画像管理装置から送信される編集画像を特定するためのＩＤを受信するステップと、前記受信したＩＤに基づいて、前記画像管理装置から編集画像を取得するステップと、出力対象となる物品情報を記憶する物品情報記憶部に記憶された物品情報に基づいて出力対象を特定し、前記取得した編集画像を出力するステップと、をコンピュータに実行させるための画像出力プログラムを記録した記録媒体である。
【００１６】
以上説明したように、この発明によれば、画像管理装置は、オリジナル画像を利用した編集された編集画像に対してＩＤを付与して記憶しておき、要求に応じて、当該要求された編集画像に対応するＩＤを送信し、画像出力装置は、画像管理装置から送信されるＩＤを受信し、受信したＩＤに基づいて、画像管理装置から編集画像を取得して、出力対象となる物品情報に基づいて出力対象を特定し、取得した編集画像を出力するようにした。これにより、受注生産を行うにあたり、メーカ側が提供可能な部品等の組み合わせをユーザが指定できるだけでなく、ユーザが生成したコンテンツも受注対象として取り入れて、各ユーザに特化した受注生産品を生産することができ、受注生産という仕組みを生かし、ユーザ個別の希望により近づけた製品を提供することができる。
【００１７】
また、本発明によれば、編集画像を記憶するようにしたので、生産した製品がユーザに渡った後、何らかの不具合が発生しても、同じコンテンツを再度出力することができ、これにより、アフターサービスを充実させることが可能となる。
【００１８】
また、本発明によれば、編集画像に電子透かしを入れるようにしたので、編集画像が不正に利用されてしまうことを防止することができる。
【発明を実施するための最良の形態】
【００１９】
以下、本発明の一実施形態による編集画像出力システムを図面を参照して説明する。図１は、この発明の一実施形態による編集画像出力システムを適用した編集画像印刷システムの構成を示す概略ブロック図である。この図において、編集画像印刷システム１は、画像管理装置１０と画像印刷装置２０とが接続されるとともに、顧客端末３０が接続される。これら画像管理装置１０、画像印刷装置２０、顧客端末３０は、インターネットなどのネットワークを介して接続される。この図において、画像管理装置１０は、画像印刷装置２０に対して１つのみ接続される場合について図示されているが、提供するコンテンツに応じて、複数の画像管理装置１０を画像印刷装置２０に接続することが可能である。
【００２０】
画像管理装置１０は、編集画像を提供するためのコンテンツ提供部門に設けられる。この画像管理装置１０において、オリジナル画像記憶部１１は、編集対象となるオリジナル画像を記憶する。このオリジナル画像としては、例えば、テーマパークのキャラクターやアニメのキャラクター、作家が製作した画像（自然画、風景画、人物像）、写真家が撮影した写真の画像、イラストレータが作成した画像などが記憶される。また、オリジナル画像記憶部１１には、画像の編集に用いられるテキストデータや背景画像となるフレーム画像などの情報も記憶される。
【００２１】
編集画像生成部１２は、顧客端末３０からの指示に基づいて、オリジナル画像記憶部１１に記憶されたオリジナル画像を編集する機能を有する。この編集画像生成部１２は、例えば、画像を編集する際、オリジナル画像記憶部１１に記憶されたオリジナル画像を顧客端末３０にダウンロードや印刷はできず、編集のみ行えるアプリケーションとして顧客端末３０にダウンロードされ、実行されることにより編集が行われることにより実現されるようにしてもよい。また、この編集画像生成部１２は、編集画像に対して電子透かし情報を含めた画像を編集画像として生成する機能を有する。
【００２２】
編集画像生成部１２に設けられる編集画像受信部１３は、オリジナル画像記憶部１１を参照して顧客端末３０において生成された編集画像を顧客端末３０から受信する。ＩＤ付与部１４は、編集画像受信部１３が受信した編集画像に対し、個別に識別可能なＩＤを付与する。編集画像記憶部１５は、編集画像受信部１３が受信した編集画像とＩＤ付与部１４によって付与されるＩＤとを対応付けて記憶する。送信部１６は、編集画像記憶部１５に記憶された編集画像の読み出し要求に応じて、当該要求された編集画像に対応するＩＤを送信する。このＩＤの送信は、顧客端末３０において、画像の編集が完了したことを示す指示が入力されたことをトリガにして、画像印刷装置２０を送信先として送信する。
【００２３】
次に、画像印刷装置２０は、製品を生産する製品生産部門に設けられる。
受信部２１は、画像印刷装置の送信部１６から送信される編集画像を特定するためのＩＤを受信する。画像取得部２２は、受信部２１が受信したＩＤに基づいて、当該ＩＤに対応する編集画像を画像管理装置の編集画像記憶部１５から取得する。編集画像記憶部２３は、画像取得部２２が取得した編集画像をＩＤに対応付けて記憶する。ここでは、編集画像に電子透かし情報が含まれている場合には、電子透かし情報が含まれた状態で編集画像を記憶する。
【００２４】
受注情報記憶部２４は、印刷対象となる物品情報を記憶する。この物品情報は、例えば、ＢＴＯ（Build To Order）等の受注生産品を提供するにあたり、顧客から受けた受注生産に関する注文情報を記憶する。この注文情報には、注文した物品を特定する物品情報と、その仕様を特定する仕様情報、注文者を特定するユーザ情報、支払いに関する情報である決済情報などが含まれる。ここで、編集画像を印刷する対象となる物品としては、物品であれば種類を問わないが、特に、アフターサービスを行うことが望ましい物品であり、例えば、パソコン、時計、携帯電話やテレビなどの家電製品、自動車やバイクなどの車両、自転車などが含まれる。印刷部２５は、受注情報記憶部２４に記憶された物品情報に基づいて印刷対象を特定し、画像取得部２２が取得した編集画像または編集画像記憶部２３に記憶された画像を物品に印刷する。
【００２５】
顧客端末３０は、ＢＴＯにて製品を注文するための情報を入力するための機能を有し、ユーザの指示に応じて、画像管理装置１０に接続してオリジナル画像を編集して編集画像を作成する機能と、画像印刷装置２０に接続して物品情報を入力して注文情報を登録し、当該注文された物品に編集画像を印刷するように注文を入力する機能を有する。
【００２６】
次に、上述した編集画像印刷システム１の動作について図面を用いて説明する。図２は、編集画像印刷システム１の動作を説明するための図面である。ここでは、編集画像生成部１２、編集画像受信部１３、ID付与部１４、送信部１６の機能をアプリケーション１０Ａ、注文情報を取得する機能をアプリケーション２０Ａ、受信部２１、画像取得部２２をアプリケーション２０Ｂとして説明する。
ここでは、ＢＴＯにて注文を行う場合、顧客端末３０において、（１）製品を注文するにあたり、製品に印刷してもらうための画像を画像管理装置１０において編集したのち、（２）その編集画像を印刷するための対象製品を画像印刷装置２０にアクセスして入力するという大きく２つの処理により注文が行われる。
【００２７】
まず、製品を注文する際、ユーザは、受注生産品に印刷してもらうための画像を編集するべく、画像管理装置１０のオリジナル画像を保持するサイトにアクセスし（図３）、「ダウンロードする」ボタンをクリックし（図３符号（ａ））、画像編集アプリケーションをダウンロードする（ステップＳ１）。そして、顧客端末３０は、ダウンロードした画像編集アプリケーションを実行し、画像管理装置１０にアクセスし、画像編集を行う（ステップＳ２）。ここでは、顧客端末３０からオリジナル画像の読み出し要求に応じて、オリジナル画像記憶部１１からオリジナル画像を読み出し（ステップＳ３）、読み出された画像が編集対象の画像として利用される。例えば、顧客端末３０から送信されるユーザの指示に応じて、あるキャラクタのオリジナル画像を１あるいは複数を組み合わせたり（図４符号（ａ））、背景画像を設定したり（図４符号（ｂ））、メッセージ等のテキストデータを設定したりする処理が、編集画面を参照されて行われる（図４符号（ｃ））。そして、「次へ」ボタン（図４符号（ｄ））がクリックされると、画像管理装置１０は、編集が完了した画像を編集画像として顧客端末３０から受信し、編集画像にＩＤを付与し、編集画像とＩＤとを対応付けて編集画像記憶部１５に記憶する（ステップＳ５）。
【００２８】
一方、顧客端末３０には編集が完了した時点の編集画像がプレビュー画面として出力され、編集が完了したことを示す「イメージ作成決定」ボタン（図５符号（ａ））がユーザによってクリックされると（ステップＳ４）、画像管理装置１０は、「イメージ作成決定」ボタンがクリックされたことをトリガとして、編集画像のＩＤを画像印刷装置２０に送信する（ステップＳ６）。ここでは、「イメージ作成決定」ボタンには、リンク先として画像印刷装置２０のＵＲＬが設定されてあり、例えば、「http://xxx.jp/image.asp?ID=126」のように、ＵＲＬの次にコンテンツのＩＤが付加される。
【００２９】
次に、顧客端末３０において、「イメージ作成決定ボタン」がクリックされることにより、そのボタンに設定されているリンク先のＵＲＬすなわち画像印刷装置２０のサイトにアクセスし、製品の仕様などを決定するページに遷移する。ここでは、編集画像を印刷する対象となる製品が選択されたのち、図６に示すように、キャラクターAを編集画像として含み、注文対象の物品がPCであることが表示されるとともに、編集画像のＩＤが表示される。そして、ユーザによって、この画面の情報が確認されたのち、「次へ」ボタン（図６符号（ａ））がクリックされると、顧客端末３０から、注文画面に表示される項目に従って、仕様が選択されたのち、入力された仕情情報の確認画面が表示され（図７）、内容が正しい場合に「購入」ボタンがクリックされると、ユーザ情報、決済情報などを入力する画面に遷移し、これら入力されたユーザ情報、決済情報が正しいことがユーザによって確認された後に、「購入」ボタンがクリックされる。これにより、顧客端末３０から画像印刷装置２０に注文情報が送信される（ステップＳ７）。
【００３０】
画像印刷装置２０は、ステップＳ７において受信した注文情報と、ステップＳ６において受信したＩＤを対応付けて注文情報記憶部２４に記憶する（ステップＳ８）。注文情報が注文情報記憶部２４に記憶されると、アプリケーション２０Ｂに注文があったことを示すオーダ指示が注文情報とともに出力される（ステップＳ９）。
アプリケーション２０Ｂは、注文情報に含まれるＩＤに基づいて、編集画像の送信要求を画像管理装置１０に送信する（ステップＳ１０）。この要求に応じて、ＩＤに対応する変種画像が画像管理装置１０の編集画像記憶部１５から読み出されて画像印刷装置２０の編集画像記憶部２３に記憶される（ステップＳ１１）。アプリケーション２０Ｂは、印刷部２５に物品情報と編集画像のＩＤを出力するとともに印刷指示を出力する（ステップＳ１２）。
【００３１】
印刷部２５は、アプリケーション２０Ｂからの指示に基づいて、ＩＤに応じた編集画像を編集画像記憶部２３から読み出し（ステップＳ１３）、指示された製品に対して印刷する（ステップＳ１３）。ここで、印刷部２５においては、必要に応じて、編集画像を印刷する前に、編集画像を印刷した際の仕上がり具合を向上させるべく、印刷対象面に白色を印刷したり、編集画像を印刷した後のコーティング処理を行う。これらの印刷が完了した後に組み立て工程において製品が組み立てられ、ユーザ情報に従って製品が発送され、決済情報に従って決済処理が行われる。ここでは、図８に示すように、ＰＣ（ノート型）の背面に編集画像が印刷される。
【００３２】
以上説明したように、コンテンツ提供部門と製品生産部門とにそれぞれ画像管理装置１０と画像印刷装置２０として分離して設けるようにしたので、オリジナル画像を提供するコンテンツ提供者が異なる場合であっても、コンテンツ提供者がそれぞれ画像管理装置１０を設けて画像印刷装置２０に接続することにより、コンテンツ提供者が提供する様々なコンテンツを受注生産品の受注項目として取り入れることができ、ユーザの希望をより考慮した製品を提供することができる。
【００３３】
また、上述したステップＳ４の後、ステップＳ７を行うにあたり、自動的に遷移することにより、ユーザに対し、コンテンツ提供部門と製品生産部門とのサイト間の遷移における違和感を低減させて、一連の注文の流れとして把握させることができる。
【００３４】
また、上述した実施形態において、ステップＳ１１において記憶した編集画像は、ステップＳ１３において出力が完了した時点で編集画像記憶部２３内から削除するようにしてもよい。また、電子透かし情報が含まれた状態で記憶されるようにしてもよい。ここで、編集画像を画像印刷装置２０側（編集画像記憶部２３）にて記憶しておくことにより、コンテンツ提供部門（画像管理装置１０）において編集画像が破棄されても、製品生産部門において独自に利用し、例えば、編集画像が印刷された部品の破損、キズ等などが発生した場合においても、部品を再生産して製品のアフターサービスに利用することができる。
【００３５】
なお、上述した実施形態においては、決済情報にコンテンツ代金を含めて課金するようにしてもよく、また、画像管理装置１０において、編集画像を生成した時点でユーザに対してオリジナル画像を利用したコンテンツ料金を課金し、画像印刷装置２０において、コンテンツの印刷料金と製品代金を課金するようにしてもよい。
【００３６】
また、上述した実施形態において、編集画像を画像印刷装置２０によって製品に対して印刷する場合について説明したが、編集画像の出力方法は、印刷の限られるものではない。すなわち、画像印刷装置２０の印刷部２５を出力部に換えて、出力部から編集画像をアイコンデザインや壁紙などの画像データとして製品（例えば、ＰＣや携帯型端末）に出力し、当該製品において編集画像をアイコンデザインや壁紙としてプレインストールするようにしてもよい。
【００３７】
図９は、図１の画像管理装置１０、画像印刷装置２０の他の実施形態における構成を示す概略ブロック図である。この図において、画像管理装置１０は、ＣＰＵ（中央処理装置）２００と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスク装置などの記憶装置から構成される記憶部２１０と、キーボードやマウスなどの入力装置２２０と、液晶表示装置などの出力装置２３０と、ネットワークを介して各種装置と通信を行う通信インタフェース２４０とがバス２５０を介して接続される。
また、画像印刷装置２０も同様に、この図９に示す形態によって構成される。
【００３８】
ここで、図１における編集画像生成部１２、編集画像受信部１３、ＩＤ付与部１４、送信部１６の機能を実現するためのプログラム（例えば、アプリケーションソフトウェア）を記憶部２１０に記憶しておき、このプログラムをＣＰＵ２００が読み出して実行することにより、これら各機能を実現させるものであってもよい。
また、図１における受信部２１、画像取得部２２、印刷部２５の機能を実現するためのプログラム（例えば、アプリケーションソフトウェア）を記憶部２１０に記憶しておき、このプログラムをＣＰＵ２００が読み出して実行することにより、これら各機能を実現させるものであってもよい。
【００３９】
また、このプログラムをコンピュータ読み取り可能な記録媒体に記録して、この記録媒体に記録されたプログラムをコンピュータに読み込ませて実行することによりこれら各機能を実現するようにしてもよい。
【００４０】
なお、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４１】
また、入力装置２２０は、キーボードやマウス等であり、出力装置２３０は、液晶表示装置やＣＲＴ（Ｃａｔｈｏｄｅ  Ｒａｙ  Ｔｕｂｅ）等である。画像管理装置１０において、記憶部２１０は、図１のオリジナル画像記憶部１１、編集画像記憶部１５に対応する。通信インタフェース２４０は、ＣＰＵ２００との組み合わせにより、図１の送信部１６の機能を実現する。また、画像印刷装置２０において、記憶部２１０は、図１の編集画像記憶部２３、注文情報記憶部２４に対応する。通信インタフェース２４０は、ＣＰＵ２００との組み合わせにより、図１の受信部２１の機能を実現する。
【００４２】
また、図１における編集画像生成部１２、編集画像受信部１３、ＩＤ付与部１４、送信部１６の機能を実現するためのプログラムや、図１における受信部２１、画像取得部２２、印刷部２５の機能を実現するためのプログラムをコンピュータ読み取り可能な記録媒体に記録して、この記録媒体に記録されたプログラムをコンピュータシステムに読み込ませ、実行することにより物品管理を行ってもよい。なお、ここでいう「コンピュータシステム」とは、ＯＳや周辺機器等のハードウェアを含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４５】
【図１】この発明の一実施形態による編集画像印刷システムの構成を示す概略ブロック図である。
【図２】編集画像印刷システム１の動作を説明するための図面である。
【図３】顧客端末の画面に表示される情報の一例を示す図面である。
【図４】顧客端末の画面に表示される情報の一例を示す図面である。
【図５】顧客端末の画面に表示される情報の一例を示す図面である。
【図６】顧客端末の画面に表示される情報の一例を示す図面である。
【図７】顧客端末の画面に表示される情報の一例を示す図面である。
【図８】顧客端末の画面に表示される情報の一例を示す図面である。
【図９】画像管理装置、画像印刷装置の他の実施形態について説明するための図面である。
【符号の説明】
【００４６】
１  編集画像印刷システム                １０  画像管理装置
１１  オリジナル画像記憶部              １２  編集画像生成部
１３  編集画像受信部                    １４  ＩＤ付与部
１５  編集画像記憶部                    １６  送信部
２０  画像印刷装置                      ２１  受信部
２２  画像取得部                        ２３  編集画像記憶部
２４  注文情報記憶部                    ２５  印刷部
【図１】
2006285324.tif 000003
【図２】
2006285324.tif 000004
【図３】
2006285324.tif 000005
【図４】
2006285324.tif 000006
【図５】
2006285324.tif 000007
【図６】
2006285324.tif 000008
【図７】
2006285324.tif 000009
【図８】
2006285324.tif 000010
【図９】
2006285324.tif 000011